【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
電線（Ｅ）の導通芯材（Ｓ）を、左右一対のワイヤ起立片（４ａ、４ｂ）間で圧着固定して導電部材（Ｂ）と接続させる電線接続端子（１）の端子圧着用クリンパ型刃であって、
前記電線接続端子（１）を支持するアンビル型刃（３１）との間で前記電線接続端子（１）を上下方向に沿って押圧し、この押圧方向に沿って電線接続端子（１）及びアンビル型刃（３１）を出入させるガイド溝（３４）が形成されており、
このガイド溝（３４）は、前記電線接続端子（１）及びアンビル型刃（３１）を溝奥へ案内する左右一対の溝内壁（３５ａ、３５ｂ）と、これらの溝内壁（３５ａ、３５ｂ）間の溝奥に位置し且つ前記電線接続端子（１）の左右一対のワイヤ起立片（４ａ、４ｂ）を押圧して湾曲状に加締めるように凹んだ左右一対のアーチ溝底（３６ａ、３６ｂ）と、この左右一対のアーチ溝底（３６ａ、３６ｂ）と前後方向の刃表面（３７）との稜線に沿った左右一対の面取部（３８ａ、３８ｂ）とを備え、
これらの面取部（３８ａ、３８ｂ）は、前記ガイド溝（３４）の溝内壁（３５ａ、３５ｂ）と前記刃表面（３７）との稜線まで延設されていて、
前記左右一対の面取部（３８ａ、３８ｂ）の左右幅（Ｗ１）は、前記左右一対のアーチ溝底（３６ａ、３６ｂ）の左右幅（Ｗ２）より幅広であることを特徴とする端子圧着用クリンパ型刃。
【請求項２】
電線（Ｅ）と、この電線（Ｅ）の導通芯材（Ｓ）を導電部材（Ｂ）と接続させる電線接続端子（１）とを有する端子付き電線であって、
少なくとも表裏両面がニッケルで構成される金属板（Ｋ）を加工成形した端子本体（２）に、この端子本体（２）の前端部に成形され且つ前記導電部材（Ｂ）に溶接される溶着部（３）と、前記端子本体（２）の前後方向の中途部に成形された左右一対のワイヤ起立片（４ａ、４ｂ）とが設けられ、
この左右一対のワイヤ起立片（４ａ、４ｂ）を支持するアンビル型刃（３１）に接近するクリンパ型刃（３２）によって押圧されて湾曲状に加締められた左右一対のワイヤ起立片（４ａ、４ｂ）間で、前記電線（Ｅ）の導通芯材（Ｓ）が圧着固定され、
圧着固定した左右一対のワイヤ起立片（４ａ、４ｂ）における前後方向の端部に、前後方向外方に行くにつれて拡開するベルマウス（１１）が形成され、
このベルマウス（１１）の左右幅（Ｗ４）は、前記圧着固定した左右一対のワイヤ起立片（４ａ、４ｂ）における前後方向の中途部の左右幅（Ｗ５）より幅広であることを特徴とする端子付き電線。
【請求項３】
前記端子本体（２）の表面は、前記クリンパ型刃（３２）の押圧によって形成された押圧部位（４２）と、この押圧部位（４２）より表面粗さＲａが大きい非押圧部位（４３）とに分けられ、
前記ワイヤ起立片（４ａ、４ｂ）は、このワイヤ起立片（４ａ、４ｂ）における前後方向の中途部及びベルマウス（１１）の表面に、前記押圧部位（４２）を有していることを特徴とする請求項２に記載の端子付き電線。
【手続補正２】
【補正対象書類名】明細書
【補正対象項目名】発明の名称
【補正方法】変更
【補正の内容】
【発明の名称】端子圧着用クリンパ型刃、端子付き電線
【手続補正３】
【補正対象書類名】明細書
【補正対象項目名】０００１
【補正方法】変更
【補正の内容】
【０００１】
本発明は、主として、電池の電極板や、配電板等の導電部材に電線を接続する電線接続端子の端子圧着用クリンパ型刃と、この端子圧着用クリンパ型刃によって、電線の導通芯材を電線接続端子に圧着固定した端子付き電線に関するものである。
【手続補正４】
【補正対象書類名】明細書
【補正対象項目名】０００８
【補正方法】変更
【補正の内容】
【０００８】
そこで、本発明に係る端子圧着用クリンパ型刃は、このような点に鑑みて、面取部をガイド溝の溝内壁とクリンパ型刃の刃表面との稜線まで延設し、面取部の左右幅をアーチ溝底の左右幅より幅広とすることで、圧着固定時にクリンパ型刃にかかる力を分散させ、クリンパ型刃の割れや発熱を防いて長寿命、低コストを実現し、ワイヤ起立片における応力集中を抑えて割れや亀裂を防止する端子圧着用クリンパ型刃を提供することを目的とする。
又、本発明に係る端子付き電線は、上述した点を鑑みて、ベルマウスの左右幅を、圧着固定したワイヤ起立片における前後中途部の左右幅より幅広とすることで、電線の圧着固定時にワイヤ起立片に係る応力を分散させて、ワイヤ起立片の割れや亀裂を防ぐと同時に、電線の引張強度が向上した端子付き電線を提供することを目的とする。
【手続補正５】
【補正対象書類名】明細書
【補正対象項目名】０００９
【補正方法】変更
【補正の内容】
【０００９】
端子圧着機は、電線Ｅの導通芯材Ｓを、左右一対のワイヤ起立片４ａ、４ｂ間で圧着固定して導電部材Ｂと接続させる電線接続端子１の端子圧着機であって、
前記電線接続端子１を支持するアンビル型刃３１と、このアンビル型刃３１に電線接続端子１を上下方向に沿って押圧するクリンパ型刃３２とを有し、
このクリンパ型刃３２は、前記電線接続端子１とこの電線接続端子１を支持したアンビル型刃３１とを押圧方向に沿って出入させるガイド溝３４が形成されており、
このガイド溝３４は、前記電線接続端子１及びアンビル型刃３１を溝奥へ案内する左右一対の溝内壁３５ａ、３５ｂと、これらの溝内壁３５ａ、３５ｂ間の溝奥に位置し且つ前記電線接続端子１の左右一対のワイヤ起立片４ａ、４ｂを押圧して湾曲状に加締めるように凹んだ左右一対のアーチ溝底３６ａ、３６ｂと、この左右一対のアーチ溝底３６ａ、３６ｂとクリンパ型刃３２における前後方向の刃表面３７との稜線に沿った左右一対の面取部３８ａ、３８ｂとを備え、
これらの面取部３８ａ、３８ｂは、前記ガイド溝３４の溝内壁３５ａ、３５ｂとクリンパ型刃３２の刃表面３７との稜線まで延設されていて、
前記左右一対の面取部３８ａ、３８ｂの左右幅Ｗ１は、前記左右一対のアーチ溝底３６ａ、３６ｂの左右幅Ｗ２より幅広である場合もある。
【手続補正６】
【補正対象書類名】明細書
【補正対象項目名】００１０
【補正方法】変更
【補正の内容】
【００１０】
又、前記アンビル型刃３１は、前記電線接続端子１の左右一対のワイヤ起立片４ａ、４ｂを下から支えるワイヤ支持部３９が設けられており、
前記クリンパ型刃３２は、前記電線接続端子１及びアンビル型刃３１に上から接近して前記左右一対のワイヤ起立片４ａ、４ｂ間で電線Ｅの導通芯材Ｓを圧着固定した加締位置Ｕにおける面取部３８ａ、３８ｂの下端Ｇ１が、前記ガイド溝３４に進入したアンビル型刃３１のワイヤ支持部３９の上端Ｇ２より下方に位置している場合もある。
【手続補正７】
【補正対象書類名】明細書
【補正対象項目名】００１１
【補正方法】変更
【補正の内容】
【００１１】
更に、前記アンビル型刃３１は、前記電線接続端子１の左右一対のワイヤ起立片４ａ、４ｂを下から支持するワイヤ支持部３９が設けられており、
前記クリンパ型刃３２は、前記電線接続端子１及びアンビル型刃３１に上から接近して前記面取部３８ａ、３８ｂの下端Ｇ１がワイヤ支持部３９の上端Ｇ２より下方位置までアンビル型刃３１を溝奥に進入させる溝幅Ｗ３でガイド溝３４が形成されている場合もある。
【手続補正８】
【補正対象書類名】明細書
【補正対象項目名】００１２
【補正方法】変更
【補正の内容】
【００１２】
アーチ溝底３６ａ、３６ｂとクリンパ型刃３２の刃表面３７との稜線に沿った左右一対の面取部３８ａ、３８ｂを溝内壁３５ａ、３５ｂまで延設し、左右一対の面取部３８ａ、３８ｂの左右幅Ｗ１（左面取部３８ａの左端から右面取部３８ｂの右端までの距離）を、左右一対のアーチ溝底３６ａ、３６ｂの左右幅Ｗ２（左アーチ溝底３６ａの左端から右アーチ溝底３６ｂの右端までの距離）より幅広とする場合には、アンビル型刃３１に支持された電線接続端子１をクリンパ型刃３２で押圧した際であっても、圧着される左右一対のワイヤ起立片４ａ、４ｂの左右外方に、左右一対の面取部３８ａ、３８ｂとの間に隙間ｄが形成される。
この隙間ｄは、クリンパ型刃３２に押圧されてワイヤ起立片４ａ、４ｂの前後方向における端部に生じる余肉部Ａを、クリンパ型刃３２側とは反対側（アンビル型刃３１側）へ逃がすことが出来ると同時に、クリンパ型刃３２からワイヤ起立片４ａ、４ｂに加わった力や衝撃も、隙間ｄを通って余肉部Ａと共にアンビル型刃３１側へ逃がすことが可能となる。
【手続補正９】
【補正対象書類名】明細書
【補正対象項目名】００１５
【補正方法】変更
【補正の内容】
【００１５】
このような応力分散によって、ワイヤ起立片４ａ、４ｂ全体として耐え得る押圧力が上がり、より強い力でワイヤ起立片４ａ、４ｂを加締めることが可能となって、電線接続端子１に対する電線Ｅの引張強度が上がる。
又、電線接続端子１及びアンビル型刃３１に上から接近するクリンパ型刃３２がワイヤ起立片４ａ、４ｂ間で導通芯材Ｓを圧着固定した加締位置Ｕにある時に、面取部３８の下端Ｇ１がアンビル型刃３１のワイヤ支持部３９上端Ｇ２より下方に位置している場合には、圧着される左右一対のワイヤ起立片４ａ、４ｂの左右外方の隙間ｄは、ワイヤ起立片４ａ、４ｂの下方位置まで延び、この隙間ｄが延びた分だけ、余肉部Ａで生じた反力をより多く低減できる。
【手続補正１０】
【補正対象書類名】明細書
【補正対象項目名】００１７
【補正方法】変更
【補正の内容】
【００１７】
そして、ガイド溝３４を、面取部３８の下端Ｇ１がワイヤ支持部３９の上端Ｇ２より下方位置までアンビル型刃３１を溝奥に進入させることが可能となる溝幅Ｗ３で形成する場合には、ワイヤ起立片４ａ、４ｂの左右外方の隙間ｄが、電線接続端子１が加締められた時でもワイヤ起立片４ａ、４ｂの下方まで延設し得ることとなり、クリンパ型刃３２の押圧によって生じた余肉部Ａや反力を更に逃がすことが出来る（逃がした力Ｆ’）。
尚、ガイド溝３４の溝幅Ｗ３とは、左右一対の面取部３８ａ、３８ｂにおける溝幅であり、更に詳しくは、左面取部３８ａの下端Ｇ１から、右面取部３８ｂの下端Ｇ１までの長さとなる。又、「ガイド溝３４を、面取部３８の下端Ｇ１がワイヤ支持部３９の上端Ｇ２より下方位置までアンビル型刃３１を溝奥に進入させることが可能となる溝幅Ｗ３で形成する」とは、この溝幅Ｗ３が、アンビル型刃３１のワイヤ支持部３９における左上端Ｇ２から右上端Ｇ２までの長さＷ６より大きいことの意である。
【手続補正１１】
【補正対象書類名】明細書
【補正対象項目名】００１８
【補正方法】変更
【補正の内容】
【００１８】
上記の目的を達成するため、本発明は、以下の技術的手段を採用した。
本発明に係る端子圧着用クリンパ刃は、第１に、電線Ｅの導通芯材Ｓを、左右一対のワイヤ起立片４ａ、４ｂ間で圧着固定して導電部材Ｂと接続させる電線接続端子１の端子圧着用クリンパ型刃であって、
前記電線接続端子１を支持するアンビル型刃３１との間で前記電線接続端子１を上下方向に沿って押圧し、この押圧方向に沿って電線接続端子１及びアンビル型刃３１を出入させるガイド溝３４が形成されており、
このガイド溝３４は、前記電線接続端子１及びアンビル型刃３１を溝奥へ案内する左右一対の溝内壁３５ａ、３５ｂと、これらの溝内壁３５ａ、３５ｂ間の溝奥に位置し且つ前記電線接続端子１の左右一対のワイヤ起立片４ａ、４ｂを押圧して湾曲状に加締めるように凹んだ左右一対のアーチ溝底３６ａ、３６ｂと、この左右一対のアーチ溝底３６ａ、３６ｂと前後方向の刃表面３７との稜線に沿った左右一対の面取部３８ａ、３８ｂとを備え、
これらの面取部３８ａ、３８ｂは、前記ガイド溝３４の溝内壁３５ａ、３５ｂと前記刃表面３７との稜線まで延設されていて、
前記左右一対の面取部３８ａ、３８ｂの左右幅Ｗ１は、前記左右一対のアーチ溝底３６ａ、３６ｂの左右幅Ｗ２より幅広であることを特徴とする。
【手続補正１２】
【補正対象書類名】明細書
【補正対象項目名】００１９
【補正方法】変更
【補正の内容】
【００１９】
その他、前記電線接続端子１及びアンビル型刃３１に上から接近し、前記面取部３８ａ、３８ｂの下端Ｇ１がアーチ溝底３６ａ、３６ｂの下端Ｇ３より下方に位置している場合もある。
【手続補正１３】
【補正対象書類名】明細書
【補正対象項目名】００２０
【補正方法】変更
【補正の内容】
【００２０】
更に、前記面取部３８ａ、３８ｂの面取表面４０は、前記アーチ溝底３６ａ、３６ｂの底表面４１と曲面Ｒ’を介して連続している場合もある。
【手続補正１４】
【補正対象書類名】明細書
【補正対象項目名】００２１
【補正方法】変更
【補正の内容】
【００２１】
上記の特徴によって、アーチ溝底３６ａ、３６ｂ及び溝内壁３５ａ、３５ｂと刃表面３７との稜線に沿って形勢された面取部３８ａ、３８ｂの左右幅Ｗ１を、アーチ溝底３６ａ、３６ｂの左右幅Ｗ２より幅広とすることで、ワイヤ起立片４ａ、４ｂの左右外方に形成される隙間ｄを通って、クリンパ型刃３２やワイヤ起立片４ａ、４ｂに加わる力を逃がし（逃がした力Ｆ’）、クリンパ型刃３２における割れ防止、長寿命化、焼付き防止と、ワイヤ起立片４ａ、４ｂにおける割れ、亀裂及び歪みの抑制、電線Ｅの引張強度向上を実現できる。
又、面取部３８の下端Ｇ１をアーチ溝底３６の下端Ｇ３より下方に位置させる場合には、隙間ｄをより下方まで延ばし、隙間ｄからより多くの力を逃がすことが出来、これに加えて、面取部３８の面取表面４０を、曲面Ｒ’を介してアーチ溝底３６の底表面４１と連続させる場合には、加締められたワイヤ起立片４ａ、４ｂの前後端部に形成されるベルマウス１１の立ち上がりを緩やかに出来、更に応力集中を抑えること可能となる。
【手続補正１５】
【補正対象書類名】明細書
【補正対象項目名】００２３
【補正方法】変更
【補正の内容】
【００２３】
第２に、前記端子本体２の表面は、前記クリンパ型刃３２の押圧によって形成された押圧部位４２と、この押圧部位４２より表面粗さＲａが大きい非押圧部位４３とに分けられ、
前記ワイヤ起立片４ａ、４ｂは、このワイヤ起立片４ａ、４ｂにおける前後方向の中途部及びベルマウス１１の表面に、前記押圧部位４２を有していることを特徴とする。
【手続補正１６】
【補正対象書類名】明細書
【補正対象項目名】００２４
【補正方法】変更
【補正の内容】
【００２４】
その他、前記左右一対のワイヤ起立片４ａ、４ｂの前後長さＬの値は、前記クリンパ型刃３２の厚さｔと同一の値である場合もある。
【手続補正１７】
【補正対象書類名】明細書
【補正対象項目名】００２５
【補正方法】変更
【補正の内容】
【００２５】
又、湾曲状に加締められる前記ワイヤ起立片４ａ、４ｂは、この起立方向の先端における前後方向の端部に円弧部１０が形成されている場合もある。
【手続補正１８】
【補正対象書類名】明細書
【補正対象項目名】００２６
【補正方法】変更
【補正の内容】
【００２６】
上記の特徴によって、端子本体２の前端部には導電部材Ｂに溶接される溶着部３が成形され、端子本体２の前後方向の中途部には電線Ｅの導通芯材Ｓを圧着固定する左右一対のワイヤ起立片４ａ、４ｂが成形され、これらのワイヤ起立片４ａ、４ｂの前後方向における端部に形成されたベルマウス１１の左右幅Ｗ４を、ワイヤ起立片４ａ、４ｂにおける前後方向の中途部の左右幅Ｗ５より幅広とすることで、アンビル型刃３１に接近するクリンパ型刃３２の押圧によって左右一対のワイヤ起立片４ａ、４ｂが湾曲状に加締められても、ベルマウス１１に相当するワイヤ起立片４ａ、４ｂの前後方向端部における余肉部Ａは、上下方向だけでなく、左右外方にも逃がされることとなり、左右外方に余肉部Ａを逃がさない場合と比較して、ワイヤ起立片４ａ、４ｂに掛かる応力も湾曲したワイヤ起立片４ａ、４ｂ端部に沿って分散され、ワイヤ起立片４ａ、４ｂの割れや亀裂、歪みを防止できる。
尚、本発明は、あくまで導電部材Ｂに溶接される溶着部３を有する電線接続端子１付きの電線Ｅ’であって、このような溶着部３を有さないコネクタハウジングのキャビティに挿入される端子金具とは、適用場面、技術思想が異なる。
【手続補正１９】
【補正対象書類名】明細書
【補正対象項目名】００２７
【補正方法】変更
【補正の内容】
【００２７】
更に、端子本体２の表面が押圧部位４２と非押圧部位４３とに分けられ、ワイヤ起立片４ａ、４ｂの前後方向の中途部だけでなく、ベルマウス１１の表面にも押圧部位４２を有していることで、ベルマウス１１が、クリンパ型刃３２におけるベルマウス１１を形成する部分（面取部３８ａ、３８ｂ）に当って形成されており、ワイヤ起立片４ａ、４ｂを加締め且つベルマウス１１を形成する時に掛かる押圧力Ｆを、ワイヤ起立片４ａ、４ｂ及びベルマウス１１における押圧部位４２全体で受け止めることとなり、ワイヤ起立片４ａ、４ｂに生じる応力が分散される。
本発明のような応力分散は、たとえば、ベルマウスの表面には押圧部位がない場合の応力分散と比べて、応力の分散具合が高い。
尚、ベルマウス１１の表面に押圧部位がない場合、すなわち、ベルマウス１１に相当する余肉部Ａが、押圧するクリンパ型刃３２の前後方向からはみ出て隆起した場合には、クリンパ型刃３２の押圧部位と、押圧されずに生じたベルマウス１１との間の境界に、応力が集中することとなる。
【手続補正２０】
【補正対象書類名】明細書
【補正対象項目名】００２８
【補正方法】変更
【補正の内容】
【００２８】
その他、ワイヤ起立片４ａ、４ｂの前後長さＬを、クリンパ型刃３２の厚さｔと同一の値とする場合には、クリンパ型刃３２で押圧された際に、ワイヤ起立片４ａ、４ｂの前後方向における端部（余肉部Ａ相当部分）が、クリンパ型刃３２におけるベルマウス１１を形成する部分（面取部３８ａ、３８ｂ）に当って左右外方に逃げることとなり、余肉部Ａを逃がした分だけ、ワイヤ起立片４ａ、４ｂの応力集中を防ぐことが出来る。
すなわち、ワイヤ起立片４ａ、４ｂの応力分散を行って、割れ、亀裂及び歪みを抑えると同時に、同じ金属板Ｋから加工成形した電線接続端子であっても、応力を分散させた方がワイヤ起立片４ａ、４ｂ全体として耐え得る押圧力が上がり、より強い力でワイヤ起立片４ａ、４ｂを加締めることが可能となって、電線接続端子１に対する電線Ｅの引張強度を向上できる。
【手続補正２１】
【補正対象書類名】明細書
【補正対象項目名】００２９
【補正方法】変更
【補正の内容】
【００２９】
尚、本発明における「同一」とは、「全く同じ」値、長さ等であることはもちろんのこと、実質的に同じ値、長さ等である「略同一」も含む。
この「略同一」とは、本発明では、例えば、余肉部Ａがクリンパ型刃３２の面取部３８ａ、３８ｂに当って左右外方に逃げ得るのであれば、多少値が異なっても実質的に同じ値とみなせることを言う。
【手続補正２２】
【補正対象書類名】明細書
【補正対象項目名】００３０
【補正方法】変更
【補正の内容】
【００３０】
又、湾曲状に加締められるワイヤ起立片４ａ、４ｂの起立先端における前後端部に円弧部１０を形成する場合には、ワイヤ起立片４ａ、４ｂが加締められ起立先端同士が合わさった際に円弧部１０も合わさりあって、この円弧部１０の分だけ余肉部Ａが左右外方に逃がされるため、更なる応力分散が図れる。
【手続補正２３】
【補正対象書類名】明細書
【補正対象項目名】００３１
【補正方法】変更
【補正の内容】
【００３１】
その他、端子付き電線の製造装置は、電線Ｅと、この電線Ｅの導通芯材Ｓを左右一対のワイヤ起立片４ａ、４ｂ間で圧着固定して導電部材Ｂに接続させる電線接続端子１とを有する端子付き電線の製造装置であって、
前記電線接続端子１を支持するアンビル型刃３１と、このアンビル型刃３１に電線接続端子１を上下方向に沿って押圧するクリンパ型刃３２と、このクリンパ型刃３２を電線接続端子１に押圧させる押圧手段３３とが配備され、
前記クリンパ型刃３２は、前記電線接続端子１とこの電線接続端子１を支持したアンビル型刃３１とを押圧方向に沿って出入させるガイド溝３４が形成されており、
このガイド溝３４は、前記電線接続端子１及びアンビル型刃３１を溝奥へ案内する左右一対の溝内壁３５ａ、３５ｂと、これらの溝内壁３５ａ、３５ｂ間の溝奥に位置し且つ前記電線接続端子１の左右一対のワイヤ起立片４ａ、４ｂを押圧して湾曲状に加締めるように凹んだ左右一対のアーチ溝底３６ａ、３６ｂと、この左右一対のアーチ溝底３６ａ、３６ｂとクリンパ型刃３２における前後方向の刃表面３７との稜線に沿った左右一対の面取部３８ａ、３８ｂとを備え、
これらの面取部３８ａ、３８ｂは、前記ガイド溝３４の溝内壁３５ａ、３５ｂとクリンパ型刃３２の刃表面３７との稜線まで延設されていて、
前記左右一対の面取部３８ａ、３８ｂの左右幅Ｗ１は、前記左右一対のアーチ溝底３６ａ、３６ｂの左右幅Ｗ２より幅広である場合もある。
【手続補正２４】
【補正対象書類名】明細書
【補正対象項目名】００３２
【補正方法】変更
【補正の内容】
【００３２】
本発明に係る端子圧着用クリンパ型刃によると、アーチ溝底及び溝内壁とクリンパ型刃の刃表面との稜線に沿った面取部とを備え、面取部の左右幅は、アーチ溝底の左右幅より幅広とすることで、クリンパ型刃の寿命を延ばすことが出来る。
又、本発明に係る端子付き電線によると、ベルマウスの左右幅を、圧着固定したワイヤ起立片における前後中途部の左右幅より幅広とすることで、ワイヤ起立片の割れや亀裂を防ぐことが出来る。
【手続補正２５】
【補正対象書類名】明細書
【補正対象項目名】００３３
【補正方法】変更
【補正の内容】
【００３３】
【図１】本発明に係る端子付き電線の電線接続端子及びキャリアを示す平面図である。
【図２】電線接続端子及びキャリアを示す側面図である。
【図３】（ａ）は図１のＡ−Ａ線矢視図であり、（ｂ）は図１のＢ−Ｂ線矢視図である。
【図４】電線を加締固定した電線接続端子を示す平面図である。
【図５】電線と導電部材（乾電池）とを接続した端子付き電線を示す斜視図である。
【図６】端子付き電線の製造装置を示す概略図で、（ａ）は全自動式の製造装置を示し、（ｂ）は手動式の製造装置である。
【図７】端子圧着機を示す斜視図である。
【図８】端子圧着機を示す側面断面図である。
【図９】端子圧着機の圧着工具（アンビル型刃、ワイヤクリンパ型刃）を示す斜視図である。
【図１０】（ａ）はアンビル型刃を示す斜視図であり、（ｂ）はアンビル型刃を示す正面図であり、（ｃ）はアンビル型刃を示す側面図である。
【図１１】（ａ）は本発明に係るクリンパ型刃を示す斜視図であり、（ｂ）はクリンパ型刃を示す正面図であり、（ｃ）は（ａ）のＣ−Ｃ線矢視断面図である。
【図１２】（ａ）は、加締位置におけるアンビル型刃、クリンパ型刃及び電線接続端子を示す正面図であり、（ｂ）は、（ａ）のＤ−Ｄ線矢視断面図である。
【図１３】圧着第１工程を示した側面断面図である。
【図１４】（ａ）は圧着第２工程を示した側面断面図であり、（ｂ）は電線接続端子とアンビル型刃、スライドカッタと表した側面断面の拡大図である。
【図１５】圧着第３工程を示した側面断面図である。
【図１６】圧着第４工程を示した側面断面図である。
【図１７】圧着第５工程を示した側面断面図である。
【手続補正２６】
【補正対象書類名】明細書
【補正対象項目名】００３４
【補正方法】変更
【補正の内容】
【００３４】
以下、電線接続端子１の端子圧着機３０、端子圧着用のクリンパ型刃３２、本発明に係る端子付き電線Ｅ’、及びこの端子付き電線Ｅ’を製造する製造装置１００について、図面に基づいて実施形態を説明する。
端子付き電線Ｅ’の製造装置１００には、電線Ｅに電線接続端子１を圧着固定する端子圧着機３０が装備され、この端子圧着機３０は、アプリケータとも呼ばれ、所望長さの電線Ｅの端部で露出した導通芯材Ｓに電線接続端子１を圧着固定して、電線接続端子１を電線Ｅの端部に電気的に接続するものである。
【手続補正２７】
【補正対象書類名】明細書
【補正対象項目名】０１２０
【補正方法】変更
【補正の内容】
【０１２０】
本発明に係る端子圧着用クリンパ型刃は、主に乾電池やボタン電池やなどに電線を接続させる端子を圧着するものであるが、電子機器内で電線を加締固定する極薄い金属板で構成された端子であれば、コンピュータ、オーディオ機器の電池以外の導電部材に使用する端子にも利用できる。
又、当然に、本発明に係る端子付き電線は、乾電池やボタン電池やなどに電線を接続させる端子を取り付けた電線だけに留まらず、同様に、電子機器内で電線を加締固定する極薄い金属板で構成された端子であれば、コンピュータ、オーディオ機器の電池以外の導電部材に使用する端子を取り付けた電線であっても利用できる。